(57)【要約】【課題】分割カバー体同士を見栄え良く確実に連結できる水栓を提供する。【解決手段】壁２に取り付けられて水栓本体３に接続された配管部を保持するステー４と、ステー４に取り付けられてステー４及び配管部を覆うカバー７を備える。カバー７が分割された複数の分割カバー体３７，３８で構成される。分割カバー体３７の一面部の外面に突部５０が形成されると共に分割カバー体３８の内面に突部５０が嵌まる凹部５７が形成される。分割カバー体３７の突部５０が形成された一面部に内側方に向けて突出して配管部又はステー４に当たる当たり部５４ａ，５４ｂが形成される。【選択図】図１
2012026234.tif 000002
【特許請求の範囲】
【請求項１】
壁に取り付けられて水栓本体に接続された配管部を保持するステーと、このステーに取り付けられて当該ステー及び前記配管部を覆うカバーを備え、このカバーが分割された複数の分割カバー体で構成され、隣接する分割カバー体のうち、一方の分割カバー体の一面部の外面に突部が形成されると共に他方の分割カバー体の内面に前記突部が嵌まる凹部が形成され、前記一方の分割カバー体の突部が形成された一面部に内側方に向けて突出して前記配管部又はステーに当たる当たり部が形成されたことを特徴とする水栓。
【発明の詳細な説明】
【技術分野】
【０００１】
本発明は、水栓本体に接続される水供給路を保持するためのステーと、ステー及び水供給路を覆うカバーを備えた水栓に関する。
【背景技術】
【０００２】
特許文献１には、浴室の壁に取り付けられて水栓本体に接続された配管部を保持するためのステーと、ステーに取り付けられてステー及び配管部を覆うカバーを備えた水栓が開示されている。前記カバーは複数の分割カバー体で構成され、隣接する分割カバー体同士は係止により連結されている。
【先行技術文献】
【特許文献】
【０００３】
【特許文献１】特開２００８−１３８３９７号公報
【発明の概要】
【発明が解決しようとする課題】
【０００４】
ところで、前記分割カバー体同士を外観良く連結するには、一方の分割カバー体の外面に突部を形成すると共に、他方の分割カバー体の内面に前記突部が嵌まる凹部を形成し、突部を凹部に嵌め込んだときに突部が他方の分割カバー体によって隠れるようにすることが考えられる。
【０００５】
しかし、このように分割カバー体同士を凹凸嵌合により連結すると、成型条件等によりカバーに寸法誤差が生じた場合には、突部が凹部に充分量嵌まらず簡単に嵌合が外れる恐れがある。また、カバーの寸法誤差が大きい場合には突部を凹部に嵌め込むことができない事態が生じる恐れもある。
【０００６】
本発明は上記事情に鑑みてなされたものであって、分割カバー体同士を見栄え良く確実に連結できる水栓を提供することを課題とする。
【課題を解決するための手段】
【０００７】
上記課題を解決するために本発明の水栓は、壁に取り付けられて水栓本体に接続された配管部を保持するステーと、このステーに取り付けられて当該ステー及び前記配管部を覆うカバーを備え、このカバーが分割された複数の分割カバー体で構成され、隣接する分割カバー体のうち、一方の分割カバー体の一面部の外面に突部が形成されると共に他方の分割カバー体の内面に前記突部が嵌まる凹部が形成され、前記一方の分割カバー体の突部が形成された一面部に内側方に向けて突出して前記配管部又はステーに当たる当たり部が形成されたことを特徴とする。
【発明の効果】
【０００８】
本発明にあっては、分割カバー体同士を見栄え良く確実に連結できる。
【図面の簡単な説明】
【０００９】
【図１】本発明の実施形態の湯水混合栓の要部斜視図である。
【図２】設置状態にある湯水混合栓の斜視図である。
【図３】カバーの図示を省略した湯水混合栓の斜視図である。
【図４】カバーの図示を省略した湯水混合栓の前側から見た斜視図である。
【図５】ステーの斜視図である。
【図６】上カバー体を示す斜視図である。
【発明を実施するための形態】
【００１０】
以下、本発明を添付図面に基づいて説明する。本実施形態の水栓１は湯水混合栓である。水栓１は図２のように浴室の壁２に沿って設けられるものであって、水栓本体３、ステー４（図１参照）、接続体５ａ，５ｂ（図１参照）、及びカバー７で構成されている。
【００１１】
水栓本体３は壁２から浴室側に突出するカウンター（図示せず）の上方に設けられ、カウンターの内部から導出された給水管８ａと給湯管８ｂが水栓本体３に接続される。
【００１２】
図３のように水栓本体３の背面には給水口２５ａと給湯口２５ｂが左右に離れて設けられている。給水口２５ａには一方の接続体である給水用接続体５ａを介して給水管８ａが連通接続される。給水管８ａと給水用接続体５ａにより、水栓本体３内に低温の水を供給する給水用配管部が構成される。給湯口２５ｂには他方の接続体である給湯用接続体５ｂを介して給湯管８ｂが連通接続される。給湯管８ｂと接続体５ｂにより、水栓本体３内に高温の湯を供給する給湯用配管部が構成される。そして、これら配管部で供給された水と湯が水栓本体３において所望の割合で混合されて所望温度の湯水が生成される。
【００１３】
図４のように水栓本体３の下面中央部には下方に開口する吐水口２６が設けられている。また、図３のように水栓本体３の背面中央部にはシャワー用配管２１の上流端部が接続される接続部４７が形成されている。
【００１４】
水栓本体３の一側端部には切替ハンドル２８が設けられている。切替ハンドル２８を操作することで、水栓本体３内で生成された湯水を、吐水口２６から吐出するか、或いはシャワー用配管２１に供給してこの下流側に設けられたシャワーヘッドから吐出するかを切り替えることができる。また、この切替ハンドル２８を操作することで、吐水口２６やシャワーヘッドから吐出される湯水の量も調節できるようになっている。
【００１５】
水栓本体３の切替ハンドル２８と反対側の端部には温度調節ハンドル２７が設けられている。温度調節ハンドル２７を操作することで、水栓本体３で混合される水と湯の割合を調節でき、これによって吐水口２６やシャワーヘッドから吐出される湯水の温度を調節できる。
【００１６】
接続体５ａ,５ｂは、横に長い水栓本体３をステー４に対して水平に保持するために設けられている。各接続体５ａ，５ｂの上端部には前方に突出する下流側接続口３０ａ,３０ｂが形成され、各接続体５ａ，５ｂの下端部には後方に突出する上流側接続口３１ａ,３１ｂが形成されている。
【００１７】
給水用接続体５ａの下流側接続口３０ａ及び給湯用接続体５ｂの下流側接続口３０ｂは、給水口２５ａ及び給湯口２５ｂの夫々に左右に回動可能に接続される。ここで、下流側接続口３０ａは、給水口２５ａに左右に回動可能に挿入され、この状態で締付ナット２９を給水口２５ａにねじ込んで締め付けることにより給水口２５ａに対して回動不能に接続される。従って、締付ナット２９を緩めることにより、下流側接続口３０ａを給水口２５ａに対して回動できる。なお、下流側接続口３０ｂと給湯口２５ｂの接続構造もこれと同様であるため、説明は省略する。
【００１８】
図４のように各接続体５ａ,５ｂの下端部には止水栓３２が設けられている。各止水栓３２の操作部３３は接続体５ａ,５ｂの下端部の前面から露出している。操作部３３を前方から操作することにより、給水管８ａ及び給湯管８ｂを給水口２５ａ、給湯口２５ｂの夫々に連通させたり、この連通状態を遮断して給水口２５ａや給湯口２５ｂへの水や湯の供給を止めたりできるようになっている。
【００１９】
図５はステー４の斜視図である。ステー４はステンレス製の金属板を折曲加工してなり、左右対称に形成されている。ステー４は、正面視Ｔ字状の背面部１０と、背面部１０の幅狭になった下部の両側縁から前方に突出する腕片部１１ａ，１１ｂと、背面部１０の上縁から前方に突出する上面部１４を備えている。
【００２０】
背面部１０には挿通孔１８が複数形成されている。ステー４を壁２に取付けるには、各挿通孔１８に前方から図示しないビスを通して背面部１０を壁２に固着する。
【００２１】
各腕片部１１ａ，１１ｂの先端部には、外側方（すなわち他方の腕片部と反対側）に向かって突出する支持片部１２ａ，１２ｂが形成されている。各支持片部１２ａ，１２ｂには前後に貫通する支持孔１３ａ，１３ｂが形成されている。一方の支持片部１２ａの支持孔１３ａには給水管８ａの下流端部が挿入され、他方の支持片部１２ｂの支持孔１３ｂには給湯管８ｂの下流端部が挿入される。
【００２２】
支持孔１３ａに挿入された給水管８ａの下流端部には給水用接続体５ａの上流側接続口３１ａが左右に回動可能に接続される。支持孔１３ｂに挿入された給湯管８ｂの下流端部には給湯用接続体５ｂの上流側接続口３１ｂが左右に回動可能に接続される。
【００２３】
ここで、上流側接続口３１ａにあっては、図３のように給水管８ａの下流端部に左右に回動自在にねじ入れられ、この状態で上流側接続口３１ａをねじ入れた締付ナット３５と給水管８ａの下流端部をねじ入れた締付ナット３６が締め付けられる。これにより、両締付ナット３５，３６で支持片部１２ａが挟まれ、上流側接続口３１ａが給水管８ａに対して回動不能に接続される。また、締付ナット３５又は３６を緩めることで、上流側接続口３１ａを給水管８ａの下流端部に対して左右に回動させることができる。なお、上流側接続口３１ｂと給湯管８ｂの下流端部の接続構造もこれと同様であるため、説明は省略する。また、上記給水管８ａや給湯管８ｂの下流端部に給水用接続体５ａの上流側接続口３１ａ又は給湯用接続体５ｂの上流側接続口３１ｂを回動可能に接続する構造は一例であり、従来から知られているその他の構造を採用しても構わない。
【００２４】
このように給水用接続体５ａの上流側接続口３１ａを給水管８ａの下流端部に接続すると共に給湯用接続体５ｂの上流側接続口３１ｂを給湯管８ｂの下流端部に接続することで、水栓本体３は給水用接続体５ａ及び給湯用接続体５ｂを介してステー４に保持される。
【００２５】
設置状態における給水用接続体５ａ及び給湯用接続体５ｂは、図４のように給水管８ａの下流端部及び給湯管８ｂの下流端部の夫々から上方に突出し、その突出方向は鉛直方向と略平行とされる。
【００２６】
前述のように給水用接続体５ａ及び給湯用接続体５ｂの夫々の上流側接続口３１ａ，３１ｂは、締付ナット３５又は３６を緩めた状態で、給水管８ａの下流端部や給湯管８ｂの下流端部に対して左右に回動させることができる。このため、前記給水用接続体５ａの突出方向及び給湯用接続体５ｂの突出方向を微調整して、横長の水栓本体３を水平に取り付けられるようになっている。
【００２７】
ステー４の各腕片部１１ａ，１１ｂの先端部には、回動規制部として、前方に突出する突出片１７ａ，１７ｂが形成されている。各突出片１７ａ，１７ｂは腕片部１１ａ，１１ｂの上端部から前方に延び出て支持片部１２ａ，１２ｂよりも前方に突出している。
【００２８】
設置状態では、ステー４の突出片１７ａ，１７ｂの外側に、対応する給水用接続体５ａ及び給湯用接続体５ｂの夫々の上下方向の中間部が近接して配置される。すなわち、本例のように左に給水用接続体５ａ、右に給湯用接続体５ｂが配置される場合は、突出片１７ａの左側方に給水用接続体５ａが当接又は僅かな隙間を介して配置され、突出片１７ｂの右側方に給湯用接続体５ｂが当接又は僅かな隙間を介して配置される。これにより、給水用接続体５ａや給湯用接続体５ｂに左右方向の外力が加わって下端部の上流側接続口３１ａ，３１ｂを中心に左右に回動しようとしたとき、給水用接続体５ａや給湯用接続体５ｂの側面を対応する突出片１７ａ，１７ｂにより支持することができる。従って、給水用接続体５ａや給湯用接続体５ｂに外力が加わって左右に回動することを規制できる。
【００２９】
図５のようにステー４の上面部１４の両側縁には下方に突出する側面部１９ａ，１９ｂが形成され、各側面部１９ａ，１９ｂには左右に貫通するねじ孔２０ａ，２０ｂが形成されている。さらにステー４の上面部１４の左右両側には上下に貫通する差込孔２３ａ，２３ｂが形成されている。また、各側面部１９ａ，１９ｂには接続部４７に接続されたシャワー用配管２１を通すための切欠２２ａ，２２ｂが形成されている。本実施形態の水栓１はシャワー用配管２１を左側方に引き出す左引出用のものであって、前記切欠２２ａ，２２ｂ及び差込孔２３ａ，２３ｂのうち、左側の切欠２２ａ及び差込孔２３ａのみが用いられる。なお、右側の切欠２２ｂ及び差込孔２３ｂは、カバー７を左右に反転させた形状の図示しない右引出用のカバーを取り付ける場合に用いられる。
【００３０】
図１及び図２のようにカバー７は、前後方向において水栓本体３と壁２の間に存在する、ステー４、給水用接続体５ａ、給湯用接続体５ｂ、給水管８ａ、及び給湯管８ｂを覆う。
【００３１】
カバー７は側面視Ｌ字状で後側（壁２側）が開口したケース状に形成され、上下に分割された二つの分割カバー体３７，３８で構成される。各分割カバー体３７，３８は合成樹脂製である。以下、特に区別する場合は、これら隣接する分割カバー体３７，３８のうち、上側に配置される分割カバー体３７を上カバー体３７と記載し、下側に配置される分割カバー体３８を下カバー体３８と記載する。
【００３２】
上カバー体３７はステー４に取り付けられる。下カバー体３８は上カバー体３７に取付けられ、ステー４には直接取り付けられない。
【００３３】
図６のように前後及び下方に開口した上カバー体３７の上面部の前縁中央部には、水栓本体３の接続部４７を保持する保持部として、下方に突出する左右一対の保持片部４９が形成されている。また、上カバー体３７の上面部の後部左側の内面には下方に突出するリブからなる差込部５１が形成されている。さらに上カバー体３７の両側面部の下端部前側には下方に突出する縁片部４２が形成され、縁片部４２は上方の上カバー体３７の側面部の外面よりも内側方に位置している。各縁片部４２の後端部には下方に突出する取付部４３が形成され、各取付部４３には左右に貫通するビス用孔４４が形成されている。
【００３４】
上カバー体３７をステー４に取付けるには、図１のように上カバー体３７をステー４の上側に被せ、各取付部４３をステー４の対応する側面部１９ａ，１９ｂの外側面に当接すると共に上カバー体３７の上面部をステー４の上面部１４に載置する。また、この際、左右の保持片部４９の間に水栓本体３の接続部４７を挿入して保持し、差込部５１を左側の差込孔２３ａに差し込んで嵌め込む。この後、各ビス用孔４４に外側から通したビス４５をステー４の対応する側面部１９ａ，１９ｂに形成されたねじ孔２０ａ，２０ｂにねじ入れることで、上カバー体３７がステー４に取付けられる。
【００３５】
上カバー体３７の左の側面部において、ステー４の切欠２２ａに対向する箇所には切欠４１が形成されている。水栓本体３の接続部４７に接続されたシャワー用配管２１は、これら切欠２２ａ，４１を介してカバー７内側から引き出される。
【００３６】
上カバー体３７は、下カバー体３８を脱着可能に取付けるため、図６のように両側面部の後端部の下端に、下方に突出する片部５２が形成され、各片部５２の下端部には外側方に突出する被引掛部５５が形成されている。また、上カバー体３７の各縁片部４２の前部外面には横に長いリブ状の突部５０が形成されている。
【００３７】
下カバー体３８は前記カウンター上に載置された状態で上カバー体３７に取付けられる。この下カバー体３８の上部でステー４、給水用接続体５ａ、及び給湯用接続体５ｂの夫々の下部が覆われると共に、この上部の後端部から下方に突出した下部で、カウンターから上方に導出して接続体５ａ，５ｂに接続される給水管８ａ及び給湯管８ｂが覆われる。なお、下カバー体３８を上カバー体３７から取り外すことで、給水用接続体５ａ、給湯用接続体５ｂ、給水管８ａ、及び給湯管８ｂを露出させ、これらの保守・点検を行えるようになっている。
【００３８】
図１のように下カバー体３８の両側面部の後端部の上端には、内側方に突出する引掛部５６が形成されている。また、下カバー体３８の上端部前側の内面には凹部５７が形成されている。
【００３９】
下カバー体３８を上カバー体３７に取り付けるには、左右両側の引掛部５６を対応する上カバー体３７の被引掛部５５の上面に引っ掛けると共に、下カバー体３８の左右両側の凹部５７に対応する上カバー体３７の突部５０を嵌め込む。
【００４０】
図６のように上カバー体３７の両側面部の内面には、上下に長いリブ状で内側方に向けて突出する当たり部５４ａ，５４ｂが形成されている。各当たり部５４ａ，５４ｂは同じ側面部に設けられた突部５０と前後方向において同位置に配置され、突部５０の上方に位置している。
【００４１】
図１のように上カバー体３７をステー４に取付けた状態では、上カバー体３７の左側の当たり部５４ａが給水用接続体５ａの上部外側面に当たり、上カバー体３７の右側の当たり部５４ｂが給湯用接続体５ｂの上部外側面に当たるよう構成されている。
【００４２】
以上説明した本実施形態の水栓１は、隣接する分割カバー体３７，３８のうち、分割カバー体３７（上カバー体３７）の一面部の外面に突部５０が形成されると共に分割カバー体３８（下カバー体３８）の内面に突部５０が嵌まる凹部５７が形成されている。このため、突部５０を凹部５７に嵌めて分割カバー体３７を連結したときには、突部５０が露出せず、見栄えが良い。そして、このような水栓１において、分割カバー体３７の突部５０が形成された一面部に内側方に向けて突出して前記配管部に当たる当たり部５４ａ，５４ｂが形成されている。このため、突部５０が設けられた分割カバー体３７の一面部が内側に変形しようとしたときには、この分割カバー体３７の一面部が配管部で押さえられ、これにより分割カバー体３７に設けられた突部５０は凹部５７から抜け難くなる。また、分割カバー体３７の成形時の寸法誤差により、分割カバー体３７の一面部が設計位置よりも内側に倒れて位置する場合には、この分割カバー体３７の一面部が対応する当たり部５４ａ，５４ｂにより外側方に押圧されて設計位置に配置される。従って、分割カバー体３７に寸法誤差がある場合にも突部５０を凹部５７に確実に嵌め込むことができる。
【００４３】
なお、本実施形態の当たり部５４ａ，５４ｂは、給水用接続体５ａや給湯用接続体５ｂに当たることで、分割カバー体３７の一面部が突部５０が凹部５７から抜ける方向に移動することを防止している。しかし、当たり部５４ａ，５４ｂは、配管部を構成する給水管８ａや給湯管８ｂに当たる、またはステー４に直接当たることで、前記分割カバー体３７の一面部の移動を規制してもよい。
【００４４】
また、本実施形態では、突部５０及び当たり部５４ａ，５４ｂが分割カバー体３７の側面部に形成されると共に凹部５７が分割カバー体３８の側面部に形成されている。しかし、突部や当たり部が分割カバー体３７の前面部や上面部等の他の面部に設けられ、凹部が分割カバー体３８の突部に対応する面部に設けられてもよい。また、カバー７は３以上の分割カバー体で構成してもよく、この場合は、突部及び当たり部は隣接する分割カバー体の一方の一面部に設けられ、凹部が他方の分割カバー体の突部に対応する面部に設けられる。
【００４５】
また、本実施形態の水栓は湯水混合栓であるが、本発明は水を吐出する一般の水栓にも適用できる。
【符号の説明】
【００４６】
２  壁
３  水栓本体
４  ステー
７  カバー
３７  上カバー体
３８  下カバー体
５０  突部
５７  凹部
５４ａ  当たり部
５４ｂ  当たり部
【図１】
2012026234.tif 000003
【図２】
2012026234.tif 000004
【図３】
2012026234.tif 000005
【図４】
2012026234.tif 000006
【図５】
2012026234.tif 000007
【図６】
2012026234.tif 000008